(57)【要約】【課題】この発明は、放送受信装置内に複数のＣＰＵが構成され、記憶手段に記憶された制御信号を外部から入力して更新する際に、複数のＣＰＵが構成されることによる影響を防止する技術を提供することを目的とする。【解決手段】  この発明は、スケーリング手段を制御する第１の制御手段と、放送受信手段を制御する第２の制御手段と、第１の制御手段と第２の制御手段との間の通信接続を、制御信号に基づいてスイッチ制御するスイッチ手段とを備えるように構成している。【選択図】  図２
2005260330.tif 000002
【特許請求の範囲】
【請求項１】
記憶手段に記憶された制御信号に基づいて制御手段が動作する放送受信装置において、
外部から入力される制御信号を受信する外部信号受信部と、
前記外部信号受信部で受信された制御信号を記憶する記憶手段と、
放送を受信する放送受信手段と、
受信した放送にスケーリング処理を施して出力するスケーリング手段と、
前記スケーリング手段を制御する第１の制御手段と、
前記放送受信手段を制御する第２の制御手段と、
前記第１の制御手段と前記第２の制御手段を通信によって接続する通信手段と、
前記通信手段に設けられ、前記第１の制御手段と前記第２の制御手段との間の通信接続を、前記外部信号受信部で受信された制御信号に基づいてスイッチ制御するスイッチ手段とを備えることを特徴とする放送受信装置。
【請求項２】
記憶手段に記憶された制御信号に基づいて制御手段が動作する放送受信装置において、
外部から入力される制御信号を受信する外部信号受信部と、
前記外部信号受信部で受信された第１の制御信号を記憶する記憶手段と、
放送を受信する放送受信手段と、
受信した放送にスケーリング処理を施して出力するスケーリング手段と、
前記スケーリング手段を制御する第１の制御手段と、
前記放送受信手段を制御する第２の制御手段と、
前記第１の制御手段と前記第２の制御手段を通信によって接続する通信手段と、
前記通信手段に設けられ、前記第１の制御手段と前記第２の制御手段との間の通信接続を、前記外部信号受信部で受信された第２の制御信号に基づいてスイッチ制御するスイッチ手段とを備えることを特徴とする放送受信装置。
【請求項３】
記憶手段に記憶された制御信号に基づいて制御手段が動作する放送受信装置において、
外部から入力される制御信号を受信する外部信号受信部と、
前記外部信号受信部で受信された制御信号を記憶する記憶手段と、
放送を受信する放送受信手段と、
受信した放送にスケーリング処理を施して出力するスケーリング手段と、
前記スケーリング手段を制御する第１の制御手段と、
前記放送受信手段を制御する第２の制御手段と、
前記第１の制御手段と前記第２の制御手段を通信によって接続する通信手段と、
前記通信手段に設けられ、前記第１の制御手段と前記第２の制御手段との間の通信接続を、前記外部信号受信部で受信された制御信号に基づいてスイッチ制御するスイッチ手段とを備え、前記第２の制御手段は前記外部信号受信部で受信された制御信号に基づいて前記通信手段をハイインピーダンス状態となるように制御することを特徴とする放送受信装置。
【請求項４】
記憶手段に記憶された制御信号に基づいて制御手段が動作する放送受信装置において、
外部から入力される制御信号を受信する外部信号受信部と、
前記外部信号受信部で受信された第１の制御信号を記憶する記憶手段と、
放送を受信する放送受信手段と、
受信した放送にスケーリング処理を施して出力するスケーリング手段と、
前記スケーリング手段を制御する第１の制御手段と、
前記放送受信手段を制御する第２の制御手段と、
前記第１の制御手段と前記第２の制御手段を通信によって接続する通信手段と、
前記通信手段に設けられ、前記第１の制御手段と前記第２の制御手段との間の通信接続を、前記外部信号受信部で受信された第２の制御信号に基づいてスイッチ制御するスイッ
チ手段とを備え、前記第２の制御手段は前記外部信号受信部で受信された第３の制御信号に基づいて前記通信手段をハイインピーダンス状態となるように制御することを特徴とする放送受信装置。
【請求項５】
外部から入力される制御信号を受信するステップと、
前記外部信号受信部で受信された制御信号を記憶するステップと、
放送を受信するステップと、
受信した放送にスケーリング処理を施して出力するステップと、
前記スケーリングステップを制御する第１の制御手段と、
前記放送受信手段を制御する第２の制御手段と、
前記第１の制御手段と前記第２の制御手段を通信によって接続する通信手段と、
前記通信手段に設けられ、前記第１の制御手段と前記第２の制御手段との間の通信接続を、前記外部信号受信部で受信された制御信号に基づいてスイッチ制御するステップとを備えることを特徴とする放送受信方法。
【請求項６】
外部から入力される制御信号を受信するステップと、
前記外部信号受信部で受信された第１の制御信号を記憶するステップと、
放送を受信するステップと、
受信した放送にスケーリング処理を施して出力するステップと、
前記スケーリングステップを制御する第１の制御手段と、
前記放送受信手段を制御する第２の制御手段と、
前記第１の制御手段と前記第２の制御手段を通信によって接続する通信手段と、
前記通信手段に設けられ、前記第１の制御手段と前記第２の制御手段との間の通信接続を、前記外部信号受信部で受信された第２の制御信号に基づいてスイッチ制御するステップとを備えることを特徴とする放送受信方法。
【請求項７】
外部から入力される制御信号を受信するステップと、
前記外部信号受信部で受信された制御信号を記憶するステップと、
放送を受信するステップと、
受信した放送にスケーリング処理を施して出力するステップと、
前記スケーリングステップを制御する第１の制御手段と、
前記放送受信手段を制御する第２の制御手段と、
前記第１の制御手段と前記第２の制御手段を通信によって接続する通信手段と、
前記通信手段に設けられ、前記第１の制御手段と前記第２の制御手段との間の通信接続を、前記外部信号受信部で受信された制御信号に基づいてスイッチ制御するステップと、
前記外部信号受信部で受信された制御信号に基づいて前記通信手段をハイインピーダンス状態となるように制御するステップとを備えることを特徴とする放送受信方法。
【請求項８】
外部から入力される制御信号を受信するステップと、
前記外部信号受信部で受信された第１の制御信号を記憶するステップと、
放送を受信するステップと、
受信した放送にスケーリング処理を施して出力するステップと、
前記スケーリングステップを制御する第１の制御手段と、
前記放送受信手段を制御する第２の制御手段と、
前記第１の制御手段と前記第２の制御手段を通信によって接続する通信手段と、
前記通信手段に設けられ、前記第１の制御手段と前記第２の制御手段との間の通信接続を、前記外部信号受信部で受信された第２の制御信号に基づいてスイッチ制御するステップと、
前記外部信号受信部で受信された第３の制御信号に基づいて前記通信手段をハイインピーダンス状態となるように制御するステップとを備えることを特徴とする放送受信方法。
【請求項９】
記憶手段に記憶された制御信号に基づいて制御手段が動作する放送受信装置において、
外部から入力される制御信号を受信する外部信号受信部と、
前記外部信号受信部で受信された第１の制御信号を記憶する記憶手段と、
放送を受信する放送受信手段と、
受信した放送にスケーリング処理を施して出力するスケーリング手段と、
前記スケーリング手段を制御する第１の制御手段と、
前記放送受信手段を制御する第２の制御手段と、
前記第１の制御手段と前記第２の制御手段を通信によって接続する通信手段と、
前記通信手段に設けられ、前記第１の制御手段と前記第２の制御手段との間の通信接続を、内部から供給される第２の制御信号に基づいてスイッチ制御するスイッチ手段とを備えることを特徴とする放送受信装置。
【発明の詳細な説明】
【技術分野】
【０００１】
この発明は、記憶手段に記憶された制御信号に基づいて制御手段が動作する放送受信装置に関する。またこの発明は、記憶手段に記憶された制御信号を外部から書換え可能な放送受信装置に関する。
【背景技術】
【０００２】
現在、放送受信装置は記憶手段に記憶された制御信号に基づいてＣＰＵ（マイクロプロセッサ）等の制御手段が動作する構成になりつつある。また、記憶手段に記憶された制御信号を更新するために、外部から書換え可能に構成したいという要求がある。
【０００３】
特許文献１にはマイクロプロセッサが記憶手段（メモリ）への書込みを制御し、書込みを防止する技術が開示されている。しかしながら、この特許文献１は放送受信装置内に複数のＣＰＵが構成され、記憶手段に記憶された制御信号を外部から入力して更新する際に、複数のＣＰＵが構成されることによる影響を防止する技術は開示されていなかった。
【特許文献１】特開平３−６４９６０号公報
【発明の開示】
【発明が解決しようとする課題】
【０００４】
そこで、この発明は上記事情を考慮してなされたもので、放送受信装置内に複数のＣＰＵが構成され、記憶手段に記憶された制御信号を外部から入力して更新する際に、複数のＣＰＵが構成されることによる影響を防止する技術を提供することを目的とする。
【課題を解決するための手段】
【０００５】
この発明に係る放送受信装置は、外部から入力される制御信号を受信する外部信号受信部と、前記外部信号受信部で受信された制御信号を記憶する記憶手段と、放送を受信する放送受信手段と、受信した放送にスケーリング処理を施して出力するスケーリング手段と、前記スケーリング手段を制御する第１の制御手段と、前記放送受信手段を制御する第２の制御手段と、前記第１の制御手段と前記第２の制御手段を通信によって接続する通信手段と、前記通信手段に設けられ、前記第１の制御手段と前記第２の制御手段との間の通信接続を、前記外部信号受信部で受信された制御信号に基づいてスイッチ制御するスイッチ手段とを備えるように構成している。
【０００６】
またこの発明に係る放送受信方法は、外部から入力される制御信号を受信するステップと、前記外部信号受信部で受信された制御信号を記憶するステップと、放送を受信するステップと、受信した放送にスケーリング処理を施して出力するステップと、前記スケーリングステップを制御する第１の制御手段と、前記放送受信手段を制御する第２の制御手段と、前記第１の制御手段と前記第２の制御手段を通信によって接続する通信手段と、前記通信手段に設けられ、前記第１の制御手段と前記第２の制御手段との間の通信接続を、前記外部信号受信部で受信された制御信号に基づいてスイッチ制御するステップとを備えるように構成している。
【発明の効果】
【０００７】
上記した構成によれば、放送受信装置内に複数のＣＰＵが構成され、記憶手段に記憶された制御信号を外部から入力して更新する際に、複数のＣＰＵが構成されることによる影響を防止する技術を提供することが可能となる。
【発明を実施するための最良の形態】
【０００８】
以下、図面を参照してこの発明の実施の形態を説明する。
【０００９】
図１はこの発明の実施の形態を示すもので、放送受信装置を示す概略図である。
【００１０】
符号１はアンテナ、符号２はチューナ（放送受信手段）、符号８はスケーリング部（スケーリング手段）、符号９は表示部、符号１０は放送受信装置、符号１００はＩＩＣバス（通信手段）、符号１０１はＣＰＵ１（第１の制御手段）である。
【００１１】
図示しない放送局から送信された放送（地上波アナログ放送、ＢＳデジタル放送、ＣＳデジタル放送、地上波デジタル放送等）は、放送受信装置１０に接続するアンテナ１で受信される。アンテナ１で受信された放送はチューナ２で選局および受信されて映像信号が出力される。このチューナ２はＣＰＵ２（１０２）で制御される。チューナ２から出力された映像信号はスケーリング部８で受信されスケーリング処理が施され、スケーリング処理された映像信号が出力される。このスケーリング処理された映像信号は表示部９へ表示される。映像信号をＬＣＤ（リキッドカラーディスプレイ）やＰＤＰ（プラズマディスプレイ）等のいわゆるＦＰＤ（フラットパネルディスプレイ）に表示するにはこのスケーリング処理が必要である。
【００１２】
スケーリング部８はＣＰＵ１（１０１）に制御される。また、ＣＰＵ２（１０２）とＣＰＵ１（１０１）は放送受信装置１０内の映像信号処理を円滑に行うためにＩＩＣバス１００で接続されており、通信を行っている。
【００１３】
図２はこの発明の実施の形態を示すもので、放送受信装置の構成を詳細に説明する図である。
【００１４】
符号１０３はバススイッチ（スイッチ手段）、符号１０４はＥＥＰＲＯＭ（記憶手段）、符号１０５はＥＥＲＯＭ書込みコネクタ（外部信号受信部）、符号１０６は常時電源、符号１０７は動作電源、符号１０９は電源制御ラインである。上記と同様の構成については同一の符号を付して説明を省略する。
【００１５】
ＡＣプラグがコンセントに差し込まれることによって、商用電源が常時電源１０６へ供給され、ＣＰＵ１（１０１）へ所定の電源（ＶＣＣ１）１０８が供給される。ＣＰＵ１（１０１）は電源制御ライン１０９によって動作電源１０７を制御する。特に図示しないが、動作電源１０７はリモコンによってＯＮ／ＯＦＦが制御される。この動作電源１０７によってＣＰＵ２（１０２）へ電源（ＶＣＣ２）が供給される。これにより、映像信号の表示部９への出力が行われる。
【００１６】
ＥＥＰＲＯＭ１０４にはＣＰＵ１（１０１）、ＣＰＵ２（１０２）を制御する制御信号（プログラム等のソフトウェア）が記憶されている。ＥＥＰＲＯＭ１０４はＥＥＲＯＭ書込みコネクタと接続されており、外部から制御信号を受信し、ＥＥＰＲＯＭ１０４へ送ることによって記憶されている制御信号の書換えが可能に構成されている。
【００１７】
上記のようにＣＰＵ１（１０１）とＣＰＵ２（１０２）はＩＩＣバス１００で接続されており、通信を行っている。このＩＩＣバス１００にはバススイッチ１０３が構成されており、この通信接続のＯＮ／ＯＦＦに関するスイッチ動作を行うように構成されている。通常はバススイッチ１０３がＯＮとなっており、ＣＰＵ１（１０１）とＣＰＵ２（１０２）の通信が行えるようになっている。
【００１８】
図３はこの発明の実施の形態を示すもので、放送受信装置のいわゆるサービス対応にお
ける動作を説明する図である。
【００１９】
サービス対応とは、放送受信装置１０に不具合が発生した際に、サービスマンが不具合を解消するために行う対応である。ここではサービスマンがEEPROM１０４に記憶された制御信号を書換える処理を行う。
【００２０】
外部からEEPROM書込みコネクタ１０５を介してEEPROM１０４に記憶された制御信号を更新する制御信号（第１の信号）、バススイッチ１０３を制御する制御信号（第２の信号）、ＣＰＵ２（１０２）をリセット（ハイインピーダンス制御）する制御信号（第３の信号）が入力される。特に図示しないがEEPROM書込みコネクタ１０５は上記制御信号（第１の信号、第２の信号、第３の信号）を受信する端子を備えている。
【００２１】
はじめに、ＡＣ入力が常時電源１０６へ供給されており、常時電源１０６、動作電源１０７共にONの状態である。この状態ではCPU1（１０１）、CPU2（１０２）は共に動作している。
【００２２】
この状態でEEPROM１０４の書込みが行われる。上記のようにEEPROM書込みコネクタ１０５は制御信号（第１の信号、第２の信号、第３の信号）を受信する。そして、バススイッチ１０３に対してOFF信号（第２の信号）を送り，CPU2１０２に対してReset信号（第３の信号）を送る。そして、CPU1（１０１）とCP2（１０２）を切り離した状態にする。また、CPU2（１０２）をハイインピーダンス状態にすることにより、CPU1（１０１）、CPU2（１０２）の影響を受けずにEEPROM（１０４）へ制御信号の書込みを行うことが可能となる。
【００２３】
図４はこの発明の実施の形態を示すもので、放送受信装置のライン対応における動作を説明する図である。
【００２４】
ライン対応とは、放送受信装置１０に不具合が発生した際に、例えば工場の製造ラインにおいて不具合を解消するために行う対応である。ここでは製造者がEEPROM１０４に記憶された制御信号を書換える処理を行う。
【００２５】
ここでのライン対応においてはAC電源は供給されない。このため、常時電源１０６、動作電源１０７共にOFFの状態である。また、CPU1（１０１）、CPU2（１０２）は共に動作していない。この状態でEEPROM１０４に記憶された制御信号の書込み（書換え）が行なわれる。
【００２６】
ここでは、EEPROM１０４とCPU2（１０２）は共通電源である。このため、CPU2（１０２）は動作状態となる。CPU1（１０１）がOFF状態の場合には、IICバス１０３を介してEEPROM１０４に制御信号を書込むと、電流がCPU1（１０１）に流れ込んでしまう。このためこれを切り離す必要がある。そこで、外部からEEPROM書込みコネクタ１０５を介してバススイッチ１０３に対してOFF信号（第２の信号）を送り、これを電気的に切り離す。また、CPU2（１０２）に対してReset信号（第３の信号）を送り、ハイインピーダンス状態にする。これにより、CPU1（１０１）に電流が流れ込むことを防止し、EEPROM１０４への制御信号（第１の信号）の書込みを行うことが可能となる。
【００２７】
図５はこの発明の実施の形態を示すもので、放送受信装置のライン対応における動作を説明する図である。
【００２８】
上記図４に示した構成に加えて、CPU2（１０２）を2電源（VCC2、VCC3）で動作させる。ここで、VCC2とVCC3は異なる電圧とする。例えばVCC2を３．３Ｖ、VCC3を５Ｖとする。
そして、このVCC3（５Ｖ）を利用してバススイッチ１０３のON/OFF信号（第２の信号）とするものである。
【００２９】
このように構成することによって、放送受信装置内に複数のＣＰＵが構成され、記憶手段に記憶された制御信号を外部から入力して更新する際に、複数のＣＰＵが構成されることによる影響を防止することが可能となる。
【００３０】
なお、この発明は上記した実施の形態そのままに限定されるものではなく、実施段階ではその趣旨を逸脱しない範囲で構成要素を種々変形して具体化することができる。
【図面の簡単な説明】
【００３１】
【図１】この発明の実施の形態を示すもので、放送受信装置を示す概略図。
【図２】この発明の実施の形態を示すもので、放送受信装置の構成を詳細に説明する図。
【図３】この発明の実施の形態を示すもので、放送受信装置のサービス対応における動作を説明する図。
【図４】この発明の実施の形態を示すもので、放送受信装置のライン対応における動作を説明する図。
【図５】この発明の実施の形態を示すもので、放送受信装置のライン対応における動作を説明する図。
【符号の説明】
【００３２】
１…アンテナ、２…チューナ（放送受信手段）、８…スケーリング部（スケーリング手段）、９…表示部、１０…放送受信装置、１００…ＩＩＣバス（通信手段）、１０１…ＣＰＵ１（第１の制御手段）、１０２…ＣＰＵ２（第２の制御手段）、１０３…バススイッチ（スイッチ手段）、１０４…ＥＥＰＲＯＭ（記憶手段）、１０５…ＥＥＲＯＭ書込みコネクタ（外部信号受信部）、１０６…常時電源、１０７…動作電源、１０９…電源制御ライン。
【図１】
2005260330.tif 000003
【図２】
2005260330.tif 000004
【図３】
2005260330.tif 000005
【図４】
2005260330.tif 000006
【図５】
2005260330.tif 000007